(57)【要約】特定のトピックに関する情報を含むデータベースが、それぞれが複数の下位部分（１２）に分割される複数の部分（１０）を含む。それぞれの部分（１０）の下位部分（１２）は順次配列で互いにリンクされ、ここで、後続の各下位部分はトピックに関するさらなる情報を含む。選択された下位部分（１２）は、下位部分に含まれる情報内に組み込まれており、またトピックに関するさらなる情報を含むデータベースの他の下位部分にハイパーテキストリンクを介してリンクされている１次キー表現を含む。本発明は、データベースの内容を管理するためのコンピュータプログラム製品、及びデータベースをコンパイルする方法に及ぶ。
2006503343.tif 000002
【特許請求の範囲】
【請求項１】
特定のトピックに関する情報のデータベースであって、
前記データベースが、それぞれが前記トピックの特定の側面に関する情報を含む複数の部分を含み、
それぞれの部分が、所定の順次配列で互いにリンクされる複数の下位部分に分割され、
前記順次配列で連続する各下位部分が前記トピックに関するさらなる情報を含むデータベース。
【請求項２】
前記データベースの前記部分が、配列されて、所定の順次配列で並べられたセットを形成する請求項１に記載のデータベース。
【請求項３】
前記データベースの選択された下位部分が、前記下位部分に含まれる前記情報内に組み込まれる１次キー表現を含み、
それぞれの１次キー表現が、前記１次キー表現の主題に関係するさらなる情報を含む、前記データベースの別の下位部分にリンクされる請求項２に記載のデータベース。
【請求項４】
選択された下位部分に含まれる前記情報内に組み込まれ、それぞれが特定の注釈にリンクされる２次キー表現を含む注釈を、前記データベースの前記選択された下位部分と共に含む請求項３に記載のデータベース。
【請求項５】
選択された注釈が、前記データベースの他の注釈にリンクされる２次キー表現を含む請求項４に記載のデータベース。
【請求項６】
選択された注釈が、それぞれが前記データベースの特定の下位部分にリンクされる複数の１次キー表現を含む請求項５に記載のデータベース。
【請求項７】
それぞれのセットの各下位部分が、後続のセットの少なくとも１つの部分の第１下位部分へのリンクを含む請求項６に記載のデータベース。
【請求項８】
特定のトピックに関する情報のデータベースの内容を管理するためのコンピュータプログラム製品であって、
前記データベースが複数の部分を含み、それぞれの部分が前記トピックの特定の側面に関する情報を含み、それぞれの部分が複数の下位部分に分割され、
前記コンピュータプログラム製品が、前記データベースのそれぞれの部分の前記下位部分を、所定の前記順次配列で互いにリンクさせるためのプログラム命令を含み、
前記順次配列で連続する各下位部分が前記トピックに関するさらなる情報を含むコンピュータプログラム製品。
【請求項９】
前記データベースの選択された下位部分が、選択された前記下位部分に含まれる前記情報内に組み込まれる１次キー表現を含み、
前記コンピュータプログラム製品が、それぞれの１次キー表現を、前記１次キー表現の前記主題に関係するさらなる情報を含む、前記データベースの別の下位部分にリンクさせるためのプログラム命令を含む請求項８に記載のコンピュータプログラム製品。
【請求項１０】
前記データベースが注釈を含み、
選択された下位部分が、選択された前記下位部分に含まれる前記情報内に組み込まれる２次キー表現を含み、
前記コンピュータプログラム製品が、それぞれの２次キー表現を、特定の注釈にリンクさせるためのプログラム命令を含む請求項９に記載のコンピュータプログラム製品。
【請求項１１】
前記データベースの前記注釈が、そこに組み込まれた１次キー表現を含み、
前記コンピュータプログラム製品が、それぞれの１次キー表現を、前記データベースの所定の下位部分にリンクさせるためのプログラム命令を含む請求項１０に記載のコンピュータプログラム製品。
【請求項１２】
前記データベースの前記注釈が、そこに組み込まれた２次キー表現を含み、
前記コンピュータプログラム製品が、それぞれの２次キー表現を、別の注釈にリンクさせるためのプログラム命令を含む請求項１１に記載のコンピュータプログラム製品。
【請求項１３】
前記データベースが、前記データベースの特定の下位部分に含まれる前記情報の概要の形式の情報をそれぞれが含む既定の注釈を含み、
前記コンピュータプログラム製品が、前記既定の注釈を関連する前記下位部分と共に同時に表示画面上に表示するためのプログラム命令を含む請求項１２に記載のコンピュータプログラム製品。
【請求項１４】
前記データベースの部分が、配列されて順次配列されたセットを形成し、
前記コンピュータプログラム製品が、あるセットの特定の部分の事前に選択された下位部分を、後続のセットの少なくとも１つの部分の第１下位部分にリンクさせるための命令を含む請求項１３に記載のコンピュータプログラム製品。
【請求項１５】
前記データベースの前記部分及び前記下位部分をハイパーテキストリンク手段によってリンクさせるように動作することができる請求項１４に記載のコンピュータプログラム製品。
【請求項１６】
１次キー表現を使用してリンクが作成される前記データベースの各下位部分の、前記データベース内でのアドレスを記録するためのプログラム命令を含む請求項１５に記載のコンピュータプログラム製品。
【請求項１７】
前記１次キー表現を介してリンクされる前記データベースの下位部分によって形成された対話パスの記録をユーザに提供するために、前記１次キー表現を介してリンクが取得される各下位部分を表すタイトル情報を表示装置上に表示するためのプログラム命令を含む請求項１６に記載のコンピュータプログラム製品。
【請求項１８】
前記下位部分がユーザによってアクセスされる順序で、前記タイトル情報を記録し表示するためのプログラム命令を含む請求項１７に記載のコンピュータプログラム製品。
【請求項１９】
前記データベースの下位部分又は注釈に含まれる前記情報の任意の部分がユーザによって選択されること、及び前記ユーザの選択を記録することを許可するプログラム命令を含むフィードバックコンポーネントを含む請求項１８に記載のコンピュータプログラム製品。
【請求項２０】
１次及び２次キー表現のユーザの選択を記録するためのプログラム命令を含む監視コンポーネントを含む請求項１９に記載のコンピュータプログラム製品。
【請求項２１】
特定のトピックに関する情報を含むデータベースコンポーネントであって、それぞれが前記トピックの特定の側面に関する情報を含み、それぞれが複数の下位部分に分割される複数の部分を含むデータベースコンポーネントと、
前記データベースの内容を管理するためのコンピュータプログラムコンポーネントであって、前記データベースのそれぞれの部分の前記下位部分を、所定の前記順次配列で互いにリンクさせるためのプログラム命令を含むコンピュータプログラムコンポーネントとを含み、
前記順次配列で連続する各下位部分が前記トピックに関するさらなる情報を含む情報管理製品。
【請求項２２】
前記データベースコンポーネントが、請求項１から７に記載のデータベースに等価である請求項２１に記載の情報管理製品。
【請求項２３】
前記コンピュータプログラムコンポーネントが、請求項８から２０に記載のコンピュータプログラム製品に等価である請求項２２に記載の情報管理製品。
【請求項２４】
特定のトピックに関する情報のデータベースをコンパイルする方法であって、
それぞれの部分が前記トピックの特定の側面に関する情報を含み、それぞれの部分が複数の下位部分に分割される、前記データベースの複数の部分をコンパイルするステップ、
前記データベースの選択された下位部分に含まれる前記情報の１次キー表現を定義するステップ、及び
それぞれの１次キー表現と、前記１次キー表現の主題に関するさらなる情報を含む前記データベースの別の下位部分との間でユーザ実行可能リンクを作成するステップを含む情報のデータベースのコンパイル方法。
【請求項２５】
特定のトピックに関する情報のデータベースをコンパイルする方法であって、
それぞれの部分が前記トピックの特定の側面に関する情報を含み、それぞれの部分が複数の下位部分に分割される、前記データベースの複数の部分をコンパイルするステップと、
前記データベースのそれぞれの部分の前記下位部分を、所定の前記順次配列で互いにリンクさせるステップとを含み、
前記順次配列で連続する各下位部分が前記トピックに関するさらなる情報を含む情報のデータベースのコンパイル方法。
【請求項２６】
実質的に明細書に記載された通りの新しい情報のデータベース。
【請求項２７】
添付の図面を参照して実質的に明細書に記載され、添付の図面に図示された通りの情報のデータベース。
【請求項２８】
実質的に明細書に記載された通りの新しいコンピュータプログラム製品。
【請求項２９】
添付の図面を参照して実質的に明細書に記載され、添付の図面に図示された通りのコンピュータプログラム製品。
【請求項３０】
実質的に明細書に記載された通りの新しい情報管理製品。
【請求項３１】
添付の図面を参照して実質的に明細書に記載され、添付の図面に図示された通りの情報管理製品。
【請求項３２】
実質的に明細書に記載された通りの新しい情報のデータベースのコンパイル方法。
【請求項３３】
添付の図面を参照して実質的に明細書に記載され、添付の図面に図示された通りの情報のデータベースのコンパイル方法。
【発明の詳細な説明】
【技術分野】
【０００１】
本発明は、データ管理に関する。
【０００２】
より詳細には、情報データベース、データベースの内容を管理するためのコンピュータプログラム製品、情報管理製品、及びデータベースをコンパイルする方法に関する。
【発明の開示】
【課題を解決するための手段】
【０００３】
本発明の第１の態様によれば、特定のトピックに関する情報のデータベースであって、前記データベースが、それぞれが前記トピックの特定の側面に関する情報を含む複数の部分を含み、それぞれの部分が、所定の順次配列で互いにリンクされる複数の下位部分に分割され、前記順次配列で連続する各下位部分が前記トピックに関するさらなる情報を含むデータベースが提供される。
【０００４】
前記データベースの前記部分が、配列されて、所定の順次配列で並べられたセットを形成する。
【０００５】
前記データベースの選択された下位部分が、前記下位部分に含まれる前記情報内に組み込まれる１次キー表現を含み、それぞれの１次キー表現が、前記１次キー表現の主題に関係するさらなる情報を含む、前記データベースの別の下位部分にリンクされる。
【０００６】
データベースにおいて、選択された下位部分に含まれる前記情報内に組み込まれ、それぞれが特定の注釈にリンクされる２次キー表現を含む注釈を、前記データベースの前記選択された下位部分と共に含む。それぞれの注釈は、関連する２次キー表現に関する一般的な情報を含み得る。それぞれの注釈は、記載の理由のような前記情報の補充内容を含むことができ、また前記２次キー表現を含む特定の部分又は下位部分において提示された議論との対照的な要素をさらに含み得る。
【０００７】
選択された注釈が、前記データベースの他の注釈にリンクされる２次キー表現を含む。
【０００８】
選択された注釈が、それぞれが前記データベースの特定の下位部分にリンクされる複数の１次キー表現を含む。
【０００９】
それぞれのセットの各下位部分が、後続のセットの少なくとも１つの部分の第１下位部分へのリンクを含む。
【００１０】
データベースは、前記データベースの特定の下位部分に含まれる前記情報の概要の形式の情報をそれぞれが含む既定の注釈を含む。使用時に、ユーザによって前記データベースの特定の前記下位部分が選択されると、前記既定の注釈が関連する前記下位部分と共に同時に表示される。
【００１１】
本発明の第２の態様によれば、特定のトピックに関する情報のデータベースの内容を管理するためのコンピュータプログラム製品であって、前記データベースが複数の部分を含み、それぞれの部分が前記トピックの特定の側面に関する情報を含み、それぞれの部分が複数の下位部分に分割され、前記コンピュータプログラム製品が、前記データベースのそれぞれの部分の前記下位部分を、所定の前記順次配列で互いにリンクさせるためのプログラム命令を含み、前記順次配列で連続する各下位部分が前記トピックに関するさらなる情報を含むコンピュータプログラム製品が提供される。
【００１２】
前記データベースの選択された下位部分が、選択された前記下位部分に含まれる前記情報内に組み込まれる１次キー表現を含み、前記コンピュータプログラム製品が、それぞれの１次キー表現を、前記１次キー表現の前記主題に関係するさらなる情報を含む、前記データベースの別の下位部分にリンクさせるためのプログラム命令を含む。
【００１３】
前記データベースが注釈を含み、選択された下位部分が、選択された前記下位部分に含まれる前記情報内に組み込まれる２次キー表現を含み、前記コンピュータプログラム製品が、それぞれの２次キー表現を、特定の注釈にリンクさせるためのプログラム命令を含む。
【００１４】
前記データベースの前記注釈が、そこに組み込まれた１次キー表現を含み、前記コンピュータプログラム製品が、それぞれの１次キー表現を、前記データベースの所定の下位部分にリンクさせるためのプログラム命令を含む。
【００１５】
前記データベースの前記注釈が、そこに組み込まれた２次キー表現を含み、前記コンピュータプログラム製品が、それぞれの２次キー表現を、別の注釈にリンクさせるためのプログラム命令を含む。
【００１６】
前記データベースが、前記データベースの特定の下位部分に含まれる前記情報の概要の形式の情報をそれぞれが含む既定の注釈を含み、前記コンピュータプログラム製品が、前記既定の注釈を関連する前記下位部分と共に同時に表示画面上に表示するためのプログラム命令を含む。
【００１７】
前記データベースの部分が、配列されて順次配列されたセットを形成し、前記コンピュータプログラム製品が、あるセットの特定の部分の事前に選択された下位部分を、後続のセットの少なくとも１つの部分の第１下位部分にリンクさせるための命令を含む。そのように、前記データベースの選択された部分は、ユーザによって選択され得る、あるセットの各部分の各下位部分と、後続のセットのある前記１つの部分の前記第の下位部分との間の前記リンクを提供する３次キー表現を含む。
【００１８】
前記コンピュータプログラム製品は、前記データベースの前記部分及び前記下位部分をハイパーテキストリンク手段によってリンクさせるように動作する。
【００１９】
前記コンピュータプログラム製品は、１次キー表現、及び／又は３次キー表現を使用してリンクが作成される前記データベースの各下位部分の、前記データベース内でのアドレスを記録するためのプログラム命令を含む。
【００２０】
前記コンピュータプログラム製品は、前記１次及び３次キー表現を介してリンクされる前記データベースの下位部分によって形成された対話パスの記録をユーザに提供するために、前記１次キー表現、又は３次キー表現を介してリンクが取得される各下位部分を表すタイトル情報を表示装置上に表示するためのプログラム命令を含む。
【００２１】
前記コンピュータプログラム製品は、前記他の下位部分の１次又は３次キー表現を使用したリンクを介して別の下位部分からアクセスされる各下位部分のタイトル情報を記録し表示するためのプログラム命令を含み得る。前記コンピュータプログラム製品は、ユーザが前記タイトル情報で表された前記データベースの特定の下位部分を単一の操作で選択できるようにするためのプログラム命令を含み得る。この点について、本出願人は、前記下位部分の関連するタイトル情報をコンピュータマウス又は他の入力装置を用いて「クリック」することによって前記下位部分は選択されることができ、それによって、選択された前記下位部分に前記ユーザを戻すことを想定している。前記タイトル情報によって表された前記下位部分が任意の順序で選択され得ることが理解されよう。
【００２２】
前記コンピュータプログラム製品は、それだけに限らないが、ローカルエリアネットワーク（ＬＡＮ：Ｌｏｃａｌ  Ａｒｅａ  Ｎｅｔｗｏｒｋ）、広域ネットワーク（ＷＡＮ：Ｗｉｄｅ  Ａｒｅａ  Ｎｅｔｗｏｒｋ）、イントラネット、通信ネットワーク又はインターネットを含めて、任意のネットワークにリンクされ得るプロセッサ上で実行可能であり、また、前記ＷＡＮ、ＬＡＮ、イントラネット、通信ネットワーク又はインターネット内のプロセッサの表示装置や携帯電話などにメッセージを作成し、送信するための通信コンポーネントを含み得る。特定の実施形態では、このコンピュータプログラム製品は、ユーザによって選択された前記下位部分又は前記注釈の部分を電子メールメッセージ形式などのメッセージ形式で記録し、選択された部分に関してコメントするフィードバックメッセージをユーザが作成できるようにするためのプログラム命令を含み得る。このフィードバックメッセージは、前記ＷＡＮ、ＬＡＮ、イントラネット又はインターネット内の所定のサイトに電子メールメッセージとして送信され得る。
【００２３】
前記コンピュータプログラム製品は、１次、２次及び３次キー表現のユーザの選択を記録するためのプログラム命令を含む監視コンポーネントを含み得る。使用時に、これによって前記データベースの使用を監視することが可能になる。
【００２４】
本発明の第３の態様によれば、特定のトピックに関する情報を含むデータベースコンポーネントであって、それぞれが前記トピックの特定の側面に関する情報を含み、それぞれが複数の下位部分に分割される複数の部分を含むデータベースコンポーネントと、前記データベースの内容を管理するためのコンピュータプログラムコンポーネントであって、前記データベースのそれぞれの部分の前記下位部分を、所定の前記順次配列で互いにリンクさせるためのプログラム命令を含むコンピュータプログラムコンポーネントとを含み、前記順次配列で連続する各下位部分が前記トピックに関するさらなる情報を含む情報管理製品が提供される。
【００２５】
前記データベースコンポーネントは、本発明の第１の態様に従って定義され説明されたデータベースに実質上等価であり得る。
【００２６】
前記コンピュータプログラムコンポーネントは、本発明の第２の態様に従って上記で定義され説明されたコンピュータプログラム製品に等価であり得る。
【００２７】
本発明の第４の態様によれば、特定のトピックに関する情報のデータベースをコンパイルする方法であって、それぞれの部分が前記トピックの特定の側面に関する情報を含み、それぞれの部分が複数の下位部分に分割される、前記データベースの複数の部分をコンパイルするステップ、前記データベースの選択された下位部分に含まれる前記情報の１次キー表現を定義するステップ、及びそれぞれの１次キー表現と、前記１次キー表現の主題に関するさらなる情報を含む前記データベースの別の下位部分との間でユーザ実行可能リンクを作成するステップを含む情報のデータベースのコンパイル方法が提供される。
【００２８】
本発明の第５の態様によれば、特定のトピックに関する情報のデータベースをコンパイルする方法であって、それぞれの部分が前記トピックの特定の側面に関する情報を含み、それぞれの部分が複数の下位部分に分割される、前記データベースの複数の部分をコンパイルするステップと、前記データベースのそれぞれの部分の前記下位部分を、所定の前記順次配列で互いにリンクさせるステップとを含み、前記順次配列で連続する各下位部分が前記トピックに関するさらなる情報を含む情報のデータベースのコンパイル方法が提供される。
【発明を実施するための最良の形態】
【００２９】
本発明のさらなる特色を、添付の図面を参照し、及び図面に図示するように、本発明の非限定的な例を用いて以下に説明する。
【００３０】
図１を参照すると、「フォーラムブック」と称される本発明によるデータベースが、特定のトピックに関する情報を含んでおり、またそれぞれが複数の下位部分１２（本明細書では「ページ」とも称される）に分割される複数の部分１０を含んでいる。さらに複数の部分は配列されて複数のセット１４（すなわちレベル「Ｌ」）を形成する。
【００３１】
それぞれの部分１０の下位部分１２はまた、順次配列で互いにリンクされ、ここで順次配列で連続する各下位部分がトピックに関するさらなる情報を含んでいる。従って、それぞれの部分の下位部分は直線的な並びで配列され、下位部分をナビゲートするユーザに、ユーザが下位部分を通じて直線的な「パス」に沿って進むにつれて増大するトピックに関する情報を提供する。
【００３２】
従って、特定のトピックに関する情報はより小さい「パッケージ」に分割されており、下位部分１２の場合、順次配列されていることが理解されよう。フォーラムブックを形成するセット、部分及び下位部分の数は、データベースのコンパイラによって決定される。従って、それぞれの場合で使用されるセット、部分、下位部分の数は、データベース内で網羅されるトピックの性質、範囲及び量に依存する。
【００３３】
図１に示すように、データベースの部分１０は、「ノード」を介して互いにリンクされる。
【００３４】
上記で示したように、データベースのセット、部分、及び下位部分は、データベースのコンパイラによって、又はそれと協力してコンパイルされる。従って、データベースのセット、部分、及び下位部分の配列は、人々がトピックに関して会話を行うときの進行に類似した、直線的でシームレスなトピックの理解を可能にする。従って、データベースの下位部分間のリンクは、「対話パス」に例えられ得る。以下では、データベースがナビゲートされ得る方法について、より詳細に説明する。
【００３５】
データベースのそれぞれの部分の選択された下位部分１２は、この下位部分に含まれた情報内に組み込まれた１次キー表現を含む。データベースのある下位部分の１次キー表現は、この１次キー表現の内容に関するさらなる情報を含むデータベースの別の下位部分にリンクされる。１次キー表現がリンクされる下位部分は、データベースの同じ部分内、あるいはそれとは異なる部分内に存在し得る。１次キー表現がリンクされる下位部分は、データベースの別のセット内の部分の一部までも形成し得る。図面の図２を参照すると、データベースの特定の下位部分１２に組み込まれた１次キー表現がデータベースの他の下位部分１２にリンクされる方法が、リンク表示線「ＷＬ１」、「ＷＬ２」、「ＷＬ３」、「ＷＬ４」、及び「ＷＬ  Ｌａｓｔ」によって示されている。それゆえに、１次キー表現は、同じ部分、同じセット内の別の部分、又はデータベース内の他の任意のセット内の他の任意の部分の一部を形成し得る、データベース内の他の下位部分へのリンクをユーザに提供する。
【００３６】
データベースは注釈を含み、データベースの選択された下位部分１２は、そこに含まれる情報内に組み込まれて注釈にリンクされている２次キー表現を含む。
【００３７】
図面の図３Ａを参照すると、フォーラムブックの表示画面１６が示されている。表示画面１６は、フォーラムブックのタイトル１８、ならびにユーザによって選択され得る、データベースのあるセットの８つの部分、すなわち「対話パス」のタイトル、及び用語解説エンジン２２を含むメニュー２０を含んでいる。データベースは、マイクロソフトインターネットエクスプローラオペレーティングシステムを使用して実行することができる。
【００３８】
「５分間対話」というタイトルが付いた第１部分の第１下位部分に入るために、その部分のタイトルをクリックすることにより、その部分がメニュー２０から選択される。次いで、第１下位部分、すなわち「優良なＫＳＭの基礎」２８というタイトルのページが表示画面２４上に開かれる（図３Ｂ参照）。その部分のタイトル、すなわち「５分間対話」２６が、複数のボタン、すなわちユーザをその次及び前の下位部分にそれぞれ導く
【００３９】
2006503343.tif 000003
ボタン、及び
【００４０】
2006503343.tif 000004
ボタンと共に画面の上部に表示される。「検索」ボタンは、選択されると、実装されたデータベース内のキーワード検索を実行させる。「ブックマップ」ボタンは、データベースのグラフィカル表現を提供し、また「読者フォーラム」ボタンは、それぞれの下位部分に結び付けられた議論フォーラムを選択する。さらなるボタンは、「返信」、「電子メール」、「印刷」、及び「ホーム」を含む。上記で示したように、データベースの下位部分の順次配列は、データベースのコンパイラによって決定される。
【００４１】
第１部分の第１ページは、２つの２次キー表現、すなわち識別しやすいように両方ともに下線が引かれている「Ｓｏｌｉｄ  Ａｉｒ」及び「ＫＳＭ」を含む。それぞれの２次キー表現は、選択された特定の２次キー表現に関連する情報を含む注釈にリンクされる。たとえば、２次キー表現「ＫＳＭ」が、表示画面上のＫＳＭをダブルクリックすることによって選択され、アクティブ化され得る。これによって、２次キー表現に関するさらなる情報を含む注釈を含む第２のウィンドウ３０が画面上に開かれる（図３Ｃ参照）。それぞれの注釈は、関連する２次キー表現に誰又は何の情報が含まれているか、記載がどうして行われるかなどの情報の補充内容を含むことができ、また、関連する２次キー表現を含む特定の下位部分内に提示された議論との対照的な要素をさらに含むことができる。本出願人は、注釈がデータベースの所定の下位部分にリンクされる１次キー表現をも含み得ることを想定している。さらに、本出願人は、注釈がデータベースの他の注釈にリンクされる２次キー表現を含み得ることを想定している。加えて、本出願人は、他の注釈を参照する２次キー表現を含む注釈の構造が無限に続き得ることを想定している。
【００４２】
ウィンドウ３０は、ユーザが「主張」を提示し、「質問」を提起し、「コメント」を提示できるようにするために、ユーザによって選択され得るプロンプト３２を含む。ユーザプロンプトのうちの１つを選択すると、ユーザが「主張」、「質問」及び／又は「コメント」を含む電子メールメッセージを編集できるようにするウィンドウが開かれ、ついで、この電子メールが処理のため受信者に送信され得る。
【００４３】
ウィンドウ３０を閉じるために、「戻る」プロンプト３４がユーザによって選択され得る。あるいは、別の２次キー表現を選択することにより、ウィンドウ３０を閉じ、別のウィンドウを開くことができる、
【００４４】
2006503343.tif 000005
ボタンをクリックすることにより、データベースの第１部分の次のページ（下位部分）が表示画面３６上に表示される（図３Ｄ参照）。さらに、アクティブ化されるとユーザが第１部分の直前のページに戻ることができる、
【００４５】
2006503343.tif 000006
ボタンが表示画面３６上に表示される。
【００４６】
表示画面３６は、第１部分のタイトルである「５分間対話」３８というタイトルが付いている。さらに、表示画面３６は、第１部分の第２ページのサブタイトル「ＫＳＭと他の組織の機能」４０を表示している。
【００４７】
このページは２つの１次キー表現、すなわち、データベースのコンパイラによって設けられ、また関連する１次キー表現の主題に関するさらなる情報を含む、データベースの別の下位部分にリンクする「知識管理」及び「他の場所」を含む。１次キー表現は、関連する１次キー表現をクリックすることによりアクティブ化することができる。
【００４８】
表示画面３６上に表示されたテキスト内に含まれる１次キー表現「他の場所」をクリックすることにより、表示画面４２（図３Ｅ参照）がアクティブ化される。表示画面３６上で選択された１次キー表現は、「ＫＳＭと新人補充機能」４４というタイトルの下位部分にリンクされ、また「ＫＳＭと他の組織の機能」４６というタイトルでデータベースの第１セットの第８部分の一部を形成している。ユーザは現在、「５分間対話」というタイトルの第１セットの第１部分を離れ、「ＫＳＭと他の組織の機能」というタイトルの第１セットの第８部分にジャンプしていることが理解されよう。
【００４９】
本発明は、データベースのそれぞれの部分の下位部分をデータベースのコンパイラによって決定された所定の順次配列で互いにリンクするためのプログラム命令を含む、フォーラムブックの内容を管理するためのコンピュータプログラム製品に及ぶ。このコンピュータプログラム製品は、上述したように、データベースのある下位部分の各１次キー表現をデータベースの別の下位部分にリンクするためのプログラム命令をも含む。このコンピュータプログラム製品はさらに、上述したように、２次キー表現を注釈にリンクするためのプログラム命令を含む。
【００５０】
加えて、このコンピュータプログラム製品は、部分、及び１次キー表現からのリンクを介して後続の下位部分へのリンクが取得される、関連する下位部分を記録するためのプログラム命令を含む。図面の図３Ｆを参照すると、部分「５分間対話」及びその関連する下位部分「ＫＳＭと他の組織の機能」のタイトルが、表示画面の上部付近のダイアログボックス４８内に表示されていることが分かる。従って、ダイアログボックス４８は、部分、及び１次キー表現を使用してリンクが取得される、関連する下位部分のアドレスを含む。関連する下位部分に戻るためには、ユーザは、ダイアログボックス４８内の「アドレス」をクリックすることにより、直前の下位部分のアドレスを選択するだけで良い。従って、このコンピュータプログラム製品は、１次キー表現を使用したリンクが行われるデータベースの各下位部分のアドレスを記録し、部分及び関連する下位部分を表すタイトル情報を表示するためのプログラム命令を含む。
【００５１】
表示画面４２は、画面の３分の２下方に３次キー表現５０を含み、この３次キー表現はユーザによって選択されることによって、データベースの第２セットの一部を形成する「ＫＳＭに対する新人補充の影響」というタイトルの部分の第１下位部分へナビゲートすることができる。そのように、３次キー表現５０、すなわち「ＫＳＭに対する新人補充の影響」をクリックすることが、表示画面５１をアクティブ化させる。この例では第２セットが１つの部分しか含んでいないが、後続のセットの部分のすべてのタイトルが、データベースの各下位部分についての３次キー表現として表示されることが理解されなければならない。それゆえに、ユーザは、選択する３次キー表現によって表される部分の第１下位部分にナビゲートするための３次キー表現のうちの１つを選択することができるであろう。
【００５２】
図３Ｇを参照すると、表示画面５１が、関連する部分のタイトル、すなわち「ＫＳＭに対する新人補充の影響」５２、及び選択された下位部分のタイトル５４、すなわち「実行／決断能力」を表示する。３次キー表現５０は実質的に、データベースのあるセット内の下位部分から、データベースの後続のセット内に位置する下位部分へのリンクを提供する既定のリンクである。図面の図３Ｈを参照すると、ダイアログボックス４８が、部分、及び３次キー表現５０を介してリンクが行われた関連する下位部分のタイトルを含んでいることが分かる。単一の操作、この場合はダイアログボックスの関連する部分をクリックすることにより、ユーザは、リンクされた元の下位部分に戻ることができる。それゆえに、ダイアログボックスは、このように、記録された１次キー表現又は３次キー表現を介してリンクがされたリン元のデータベース内の任意の下位部分にユーザが戻ることを可能にする「対話パス」を提供する。
【００５３】
このコンピュータプログラム製品は、データベースの下位部分又は注釈に含まれる情報の任意の部分がユーザによって選択され、またそのユーザの選択が記録されることを可能にするプログラム命令を含むフィードバックコンポーネントを含む。
【００５４】
このコンピュータプログラム製品は、ＷＡＮ、ＬＡＮ、イントラネット又はインターネットを介して別のプロセッサにリンクされ得るプロセッサ上で実行可能である。このコンピュータプログラム製品は、電子メールメッセージを作成し、前記ＷＡＮ、ＬＡＮ、イントラネット又はインターネット内の別のプロセッサに送信するための電子メールコンポーネントを含み得る。データベースの内容に関するフィードバックを提供するために、このコンピュータプログラム製品は、ユーザがデータベースの下位部分又は注釈の一部を選択できるようにするプログラム命令を含む。この下位部分又は注釈の一部は次いで、ユーザがその選択部分にコメントできるようにする電子メールメッセージ内に記録される。この電子メールメッセージは、選択されたテキストに関するフィードバックを提供するために、前記ＷＡＮ、ＬＡＮ、イントラネット又はインターネット内の所定の受信者に送信され得る。別の実施形態では、このコンピュータプログラム製品は、携帯電話にいわゆるＳＭＳテキストメッセージを送信するために、通信ネットワークを介して携帯電話にリンクされたプロセッサ上で実行され得ることが理解されよう。
【００５５】
このコンピュータプログラム製品は、１次及び２次キー表現のユーザの選択を記録するためのプログラム命令を含む監視コンポーネントを含む。監視コンポーネントは、記録されたユーザの選択を受信者に電子メールなどを介して報告するためのプログラム命令を含む。これは、１次及び２次キー表現の使用に関するフィードバックを提供し、それによって、ユーザが最も興味深い又は多分最も興味がないとさえ感じるデータベースの下位部分／部分についての指標を提供する。本出願人は、広い適用分野で、監視コンポーネントが、任意の参加者、すなわちユーザ又はデータベースのコンパイラによるフォーラムブックの任意の部分の使用を監視するように動作し得ることを想定している。したがって、データベースの内容は、おそらくは特定の部分／下位部分内の特定の情報を拡充し、又は他から情報を削除することにより、それ相応に調整され得る。
【００５６】
本出願人は、異なるトピックを扱う２つ以上のフォーラムブックがリンクされ得ることを想定している。より具体的には、本出願人は、あるフォーラムブックの特定の下位部分が１次キー表現を介して別のフォーラムブック内の下位部分にリンクされ得ることを想定している。さらに、本出願人は、１次キー表現が（フォーラムブックではない）他のデータベース、又は情報のページへのリンクを提供し得ることを想定している。
【００５７】
本発明は、上述のデータベース及びコンピュータプログラム製品をその構成要素として含む情報管理製品に及ぶ。
【図面の簡単な説明】
【００５８】
【図１】本発明に係るデータベースの構造を表す概略図である。
【図２】データベースの下位部分が１次キー表現によってリンクされる方法を示す、図１のデータベースの概略図である。
【図３Ａ】本発明に係るデータベースを介する対話パスの一例を順に示す図である。
【図３Ｂ】本発明に係るデータベースを介する対話パスの一例を順に示す図である。
【図３Ｃ】本発明に係るデータベースを介する対話パスの一例を順に示す図である。
【図３Ｄ】本発明に係るデータベースを介する対話パスの一例を順に示す図である。
【図３Ｅ】本発明に係るデータベースを介する対話パスの一例を順に示す図である。
【図３Ｆ】本発明に係るデータベースを介する対話パスの一例を順に示す図である。
【図３Ｇ】本発明に係るデータベースを介する対話パスの一例を順に示す図である。
【図３Ｈ】本発明に係るデータベースを介する対話パスの一例を順に示す図である。
【図１】
2006503343.tif 000007
【図２】
2006503343.tif 000008
【図３Ａ】
2006503343.tif 000009
【図３Ｂ】
2006503343.tif 000010
【図３Ｃ】
2006503343.tif 000011
【図３Ｄ】
2006503343.tif 000012
【図３Ｅ】
2006503343.tif 000013
【図３Ｆ】
2006503343.tif 000014
【図３Ｇ】
2006503343.tif 000015
【図３Ｈ】
2006503343.tif 000016
【手続補正書】
【提出日】平成15年12月1日(2003.12.1)
【手続補正１】
【補正対象書類名】特許請求の範囲
【補正対象項目名】全文
【補正方法】変更
【補正の内容】
【特許請求の範囲】
【請求項１】
特定のトピックに関する情報を格納するためのデータベースであって、
前記データベースが、前記トピックの特定の側面に関する情報を格納することができる複数の部分を含み、
それぞれの部分が、所定の順次配列で互いにリンクされる複数の下位部分に分割され、
前記順次配列で連続する各下位部分が前記トピックに関するさらなる情報を含み得るデータベース。
【請求項２】
前記データベースの前記部分が、配列されて、所定の順次配列で並べられたセットを形成する請求項１に記載のデータベース。
【請求項３】
特定のトピックに関する情報のデータベースの内容を管理するためのコンピュータプログラム製品であって、
前記データベースが複数の部分を含み、前記トピックの特定の側面に関する情報が前記部分の中に格納されることができ、それぞれの前記部分が複数の下位部分に分割され、
前記コンピュータプログラム製品が、前記データベースのそれぞれの部分の前記下位部分を、所定の前記順次配列で互いにリンクさせるためのプログラム命令を含み、
前記順次配列で連続する各下位部分が前記トピックに関するさらなる情報を含み得るコンピュータプログラム製品。
【請求項４】
前記データベースの少なくとも１つの下位部分から前記データベースの別の下位部分へのユーザ実行可能ナビゲーションリンクを確立し、それによってユーザが１つの前記下位部分から別の前記下位部分にナビゲートできるようにするためのプログラム命令を含み、
そこからナビゲーションリンクが成される各下位部分の前記データベース内でのアドレスを記録し、使用時にユーザを前記ナビゲーションリンクが成される前記下位部分に戻すためのプログラム命令を含む請求項３に記載のコンピュータプログラム製品。
【請求項５】
別の下位部分への前記ナビゲーションリンクが成される前に表示されていたのと同じ形式で、前記ナビゲーションリンクが成される前記下位部分の内容を表示するためのプログラム命令を含む請求項４に記載のコンピュータプログラム製品。
【請求項６】
前記ナビゲーションリンクが成される各下位部分を表すタイトル情報を記録し表示するためのプログラム命令を含む請求項４に記載のコンピュータプログラム製品。
【請求項７】
使用時にコンパイラによって、前記データベースの選択された下位部分に格納される情報内に１次キー表現を定義し、
ユーザが前記１次キー表現を選択することによって、前記データベースの前記別の下位部分への前記ナビゲーションリンクを確立するためのプログラム命令を含む請求項４に記載のコンピュータプログラム製品。
【請求項８】
情報がコンパイラによって入力され得る注釈を確立し、
使用時にコンパイラによって前記データベースの選択された下位部分に格納される情報内に２次キー表現を定義し、
ユーザによる１次キー表現の選択によって関連する前記注釈の表示がもたらされる、それぞれの２次キー表現を、関連する配列の特定の注釈にリンクさせるためのプログラム命令を含む請求項７に記載のコンピュータプログラム製品。
【請求項９】
前記注釈内に１次キー表現を定義し、前記注釈内の１次キー表現から前記データベースの所定の下位部分への前記ナビゲーションリンクを確立するためのプログラム命令を含む請求項８に記載のコンピュータプログラム製品。
【請求項１０】
選択された注釈内に２次キー表現を定義し、それぞれの２次キー表現を別の注釈にリンクさせるためのプログラム命令を含む請求項８に記載のコンピュータプログラム製品。
【請求項１１】
情報がコンパイラによって入力され得る既定の注釈を確立するためのプログラム命令を含み、前記プログラム命令が、前記既定の注釈を、前記データベースの特定の下位部分の前記情報と共に同時に表示するように動作させることができる請求項１０に記載のコンピュータプログラム製品。
【請求項１２】
前記データベースの下位部分又は注釈に含まれる前記情報の任意の部分がユーザによって選択されること、及び前記ユーザの選択を記録することを許可するプログラム命令を含むフィードバックコンポーネントを含む請求項８に記載のコンピュータプログラム製品。
【請求項１３】
１次及び２次キー表現のユーザの選択を記録するためのプログラム命令を含む監視コンポーネントを含む請求項８に記載のコンピュータプログラム製品。
【請求項１４】
ナビゲーションリンクが成される前記データベースの下位部分の記録をユーザに提供するために、ナビゲーションリンクが成される各下位部分を表すタイトル情報を表示するためのプログラム命令を含む請求項４に記載のコンピュータプログラム製品。
【請求項１５】
特定のトピックに関する情報を格納するためのデータベースコンポーネントであって、それぞれが前記トピックの特定の側面に関する情報を含む複数の部分を格納することができ、それぞれが複数の下位部分に分割される複数の部分を含むデータベースコンポーネントと、
前記データベースの内容を管理するためのコンピュータプログラムコンポーネントであって、前記データベースのそれぞれの部分の前記下位部分を、所定の前記順次配列で互いにリンクさせるためのプログラム命令を含むコンピュータプログラムコンポーネントとを含み、
前記順次配列で連続する各下位部分が前記トピックに関するさらなる情報を含み得る情報管理製品。
【請求項１６】
前記データベースコンポーネントが、請求項１及び２の一の請求項に記載のデータベースに等価である請求項１５に記載の情報管理製品。
【請求項１７】
前記コンピュータプログラムコンポーネントが、請求項３から１４のいずれか一項に記載のコンピュータプログラム製品に等価である請求項１６に記載の情報管理製品。
【請求項１８】
特定のトピックに関する情報のデータベースをコンパイルする方法であって、
それぞれの部分が前記トピックの特定の側面に関する情報を含み、それぞれの部分が複数の下位部分に分割される、前記データベースの複数の部分をコンパイルするステップと、
前記データベースのそれぞれの部分の前記下位部分を、所定の前記順次配列で互いにリンクさせるステップとを含み、
前記順次配列で連続する下位部分が前記トピックに関するさらなる情報を含む情報のデータベースのコンパイル方法。
【請求項１９】
前記データベースの少なくとも１つの下位部分から前記データベースの別の下位部分へのユーザ実行可能ナビゲーションリンクを確立し、それによってユーザが１つの前記下位部分から別の前記下位部分にナビゲートできるようにすること、及び
ナビゲーションリンクが成される各下位部分の前記データベース内でのアドレスを記録し、ナビゲーションリンクが成される前記下位部分にユーザを戻すことを含む請求項１８に記載の情報のデータベースのコンパイル方法。
【請求項２０】
別の下位部分への前記ナビゲーションリンクが成される前に表示されていたのと同じ形式で、前記ナビゲーションリンクが成される前記下位部分の内容を表示することを含む請求項１９に記載の情報のデータベースのコンパイル方法。
【請求項２１】
実質的に明細書に記載された通りの新しいデータベース。
【請求項２２】
添付の図面を参照して実質的に明細書に記載され、添付の図面に図示された通りのデータベース。
【請求項２３】
実質的に明細書に記載された通りの新しいコンピュータプログラム製品。
【請求項２４】
添付の図面を参照して実質的に明細書に記載され、添付の図面に図示された通りのコンピュータプログラム製品。
【請求項２５】
実質的に明細書に記載された通りの新しい情報管理製品。
【請求項２６】
添付の図面を参照して実質的に明細書に記載され、添付の図面に図示された通りの情報管理製品。
【請求項２７】
実質的に明細書に記載された通りの新しいデータベースのコンパイル方法。
【請求項２８】
添付の図面を参照して実質的に明細書に記載され、添付の図面に図示された通りのデータベースのコンパイル方法。
【国際調査報告】
2006503343.tif 000017